(57)【要約】【課題】ワイヤレス信号送信から情報を受信して表示するためのモバイル電子機器を提供すること。【解決手段】本発明のデバイスは、情報の表示のための１つ又は複数の機械的インジケータ及び／又はデジタルインジケータを使用する。本発明の一実施例は、ワイヤレス送信情報を受信し表示するため、時計デバイスのような、スマートパーソナルオブジェクトを提供する。このときそのオブジェクトは従来のスタイル及び外観を有する。このデバイスは、時計針、スライダ、文字盤、リング、ディスクなどを用いて、受信した情報を伝達するように動作可能で、従来の高忠実度／高品質で構築することが出来る。【選択図】図５Ｂ
2006101505.tif 000002
【特許請求の範囲】
【請求項１】
ワイヤレス送信からワイヤレス信号を受信するための受信機であって、前記ワイヤレス信号は情報を含む受信機と、
前記受信されたワイヤレス信号を処理するための電子システムであって、前記受信されたワイヤレス信号から情報を抽出し、抽出された情報に基づいて制御信号を提供するように構成された電子システムと、
前記電子システムが抽出する情報を表示するためのディスプレイであって、部分的には前記受信されたワイヤレス信号から抽出される情報に基づいて、詳細をユーザに提供するためのアナログインジケータ手段を含むディスプレイと、
前記制御信号により前記ディスプレイの前記アナログインジケータ手段を駆動するための駆動手段と、
電力を供給するための電源と
を備えたことを特徴とする装置。
【請求項２】
前記受信機は、無線周波数領域内における動作機能をさらに備えたことを特徴とする請求項１に記載の装置。
【請求項３】
前記受信機は、周波数変調（ＦＭ）周波数領域における動作機能をさらに備えたことを特徴とする請求項２に記載の装置。
【請求項４】
前記アナログインジケータ手段は、コンテキスト又は値を提供するための少なくとも１つの機械的インジケータを備えたことを特徴とする請求項１に記載の装置。
【請求項５】
前記アナログインジケータ手段は、アイコンの各々がコンテキスト又は値を表す複数のアイコンを含む少なくとも１つの機械的インジケータをさらに備えたことを特徴とする請求項１に記載の装置。
【請求項６】
前記アナログインジケータ手段は、基本的に、触覚的、可聴式、視覚的メカニズムからなる少なくとも１つの機械的インジケータをさらに備えたことを特徴とする請求項１に記載の装置。
【請求項７】
前記アナログインジケータ手段は、第１機械的インジケータ及び第２機械的インジケータをさらに備え、前記ワイヤレス信号から受信して処理した情報に基づいて、前記第１機械的インジケータはコンテキストを提供し、前記第２機械的インジケータは値を提供することを特徴とする請求項１に記載の装置。
【請求項８】
前記各機械的インジケータは、各アイコンがコンテキスト又は値を表す複数のアイコンを含むことを特徴とする請求項７に記載の装置。
【請求項９】
前記ディスプレイは、さらにデジタルディスプレイ手段を備えたことを特徴とする請求項１に記載の装置。
【請求項１０】
前記ワイヤレス信号は、ユーザ向けにカスタマイズされた情報を含むメッセージパケットを備えたことを特徴とする請求項１に記載の装置。
【請求項１１】
前記アナログインジケータ手段は、第１機械的インジケータと第２機械的インジケータと第３機械的インジケータ及び第４機械的インジケータを備えた装置であって、
前記第１機械的インジケータは第１コンテキストを提供し、第２機械的インジケータは前記第１コンテキストに関する第１の値を提供し、
前記第３機械的インジケータは第２コンテキストを提供し、第４機械的インジケータは前記第２コンテキストに関する第２の値を提供すること
を特徴とする請求項１に記載の装置。
【請求項１２】
発信源から無線信号を受信するための無線受信機であって、前記無線信号は、前記デバイスのユーザ向けにカスタマイズされた情報を含むメッセージパケットを備えた無線受信機と、
前記受信信号を処理し、前記受信信号から情報を抽出するためのプロセッサと、
前記受信信号内に含まれる情報を表示するためのディスプレイであって、部分的には前記受信無線信号から抽出される情報に基づいて、詳細をユーザに提供するための少なくとも１つの機械的インジケータのメカニズムを含むディスプレイと、
ワイヤレスクライアントデバイスに電力を供給するための電源と
を備えたことを特徴とするワイヤレスクライアントデバイス。
【請求項１３】
スマートウオッチデバイスをさらに備えたことを特徴とする請求項１２に記載のワイヤレスクライアントデバイス。
【請求項１４】
前記無線受信機は、ＦＭ発信源からＦＭ信号を受信するように動作可能であることを特徴とする請求項１２に記載のワイヤレスクライアントデバイス。
【請求項１５】
前記少なくとも１つの機械的インジケータのメカニズムは、前記無線送信に含まれる情報を伝達するための少なくとも１つのアイコン記号を有する少なくとも１つのディスクを備えたことを特徴とする請求項１２に記載のワイヤレスクライアントデバイス。
【請求項１６】
前記少なくとも１つの機械的インジケータのメカニズムは、前記無線送信に含まれる情報を伝達するための少なくとも１つのテキストディスプレイを有する少なくとも１つのディスクを備えたことを特徴とする請求項１２に記載のワイヤレスクライアントデバイス。
【請求項１７】
前記少なくとも１つの機械的インジケータのメカニズムは、
少なくとも１つのアイコン記号を有する第１ディスクと、
少なくとも１つのテキストディスプレイを有する第２ディスクとを備え、
前記第１ディスク及び前記第２ディスクは、共に動作して前記無線送信に含まれる情報を伝達することを特徴とする請求項１２に記載のワイヤレスクライアントデバイス。
【請求項１８】
前記少なくとも１つの機械的インジケータのメカニズムは、
少なくとも１つの数値記号を有する第１ディスクと、
少なくとも１つのテキストディスプレイを有する第２ディスクとを備え、
前記第１ディスク及び前記第２ディスクは、共に動作して前記無線送信に含まれる情報を伝達することを特徴とする請求項１２に記載のワイヤレスクライアントデバイス。
【請求項１９】
前記少なくとも１つの機械的インジケータのメカニズムは、
階調化領域と、
該階調化領域の一部を指し示し、動作して前記無線送信に含まれる情報を伝達するためのポインティング手段と
を備えたことを特徴とする請求項１２に記載のワイヤレスクライアントデバイス。
【請求項２０】
前記ディスプレイはさらにデジタルディスプレイを備えたことを特徴とする請求項１２に記載のワイヤレスクライアントデバイス。
【請求項２１】
情報伝達のためのシステムであって、該システムは、
情報を含むワイヤレス信号を送信するためのワイヤレス信号送信機と、
前記ワイヤレス信号を受信するためのデバイスとを備え、該デバイスは、
前記ワイヤレス信号送信機から、前記ワイヤレス信号を受信するように動作可能な受信機と、
前記受信信号を処理し、前記受信信号から情報を抽出するためのプロセッサと、
前記ワイヤレス信号から抽出した情報を表示する手段であって、前記ワイヤレス信号に含まれる情報に少なくとも一部は基づいて、詳細を表示する少なくとも１つのメカニカルインジケーション手段を含む手段と、
前記デバイスに電力を供給するための電源と
を備えたことを特徴とするシステム。
【発明の詳細な説明】
【技術分野】
【０００１】
本発明は、一般的に携帯電子機器に関し、より詳細には、ワイヤレスデータの収集及び表示のための装置及びワイヤレスクライアントデバイスに関する。
【背景技術】
【０００２】
社会の移動性が増すにつれ、モバイル電子機器が人気と成長の大波を享受している。主流の顧客を有する携帯電話、ワイヤレスＰＤＡ、ワイヤレスノート型パソコン、及びその他のモバイル通信機器が、目覚ましい進出を遂げている。しかしながら、この成長を抑制して顧客の満足を制限しているのは、受信可能範囲が十分広く、廉価、小型で、電池効率の良いワイヤレス通信システムがないことである。携帯電話データ通信に基づく解決策は、良好な電力効率にはほど遠く、使用に適さないほどの（相対的な）コストとサイズの負担を課す。
【発明の開示】
【発明が解決しようとする課題】
【０００３】
集中できる（ｌｏｗ−ｄｉｓｔｒａｃｔｉｏｎ）ユーザインターフェースを含む新技術、新しいオペレーティングシステムプラットホーム、及び新しい通信能力が開発中である。「スマートパーソナルオブジェクト」は、時計、ペン、キーホルダ、札入れのような日用品であり、専用ソフトウエアの使用を通して、より洗練され、よりパーソナライズされ、より有用になる。これら日用品は既に多数存在しており、勿論、全ての人々が価値有りと認める主機能を既に有している。これらは、また、時刻だけでなく、時宜に適った情報−交通情報、日程更新、ニュース−速度が重視され人々に有用なあらゆる情報を表示するよう拡張することもできる。
【０００４】
これらオブジェクトの情報利用に関する能力は、部分的にその表示能力に依存する。これらは、受信した情報を表示するため典型的にデジタルディスプレイを利用する。残念ながら、多くの潜在的顧客が、これらオブジェクトの購入を躊躇している理由の１つは、洗練されていないデジタルディスプレイである。即ち、多くの潜在顧客は、デジタル時計の着用を好まないか、又はもっと洗練されファッショナブルな時計を求める、あるいは好んでいる。
【０００５】
本発明は、このような問題に鑑みてなされたもので、その目的とするところは、ワイヤレスデータの収集及び表示のための装置及びワイヤレスクライアントデバイスを提供することにある。
【課題を解決するための手段】
【０００６】
時計デバイスのような、バッテリ電源、携帯型コンピュータには、ワイヤレス送信を受信し、少なくとも１部はそのワイヤレス送信に含まれる情報に基づいて情報を表示する備えがある。本発明が提供する装置は、装置製造者が高度なカスタマイズを行って洗練された個人向け対象データを表示することを可能にする。それにより最高級ブランド及び関連顧客基盤の要求に応じることができる。
【０００７】
一実施例において、本装置は、ワイヤレス送信から情報を受信して処理する。本装置は、ワイヤレス送信を通じて受信する情報を表示するため１つ又は複数の機械的インジケータを含んでいる。他の実施例において、本装置は、機械的インジケータ又はデジタルインジケータと機械的インジケータの何らかの組合せを用いて情報を表示する働きをする。情報をユーザに伝達するため、例えば、時計針、スライダ、文字盤、リング、ディスクなどのような、各種の機械的インジケータを使用することができる。代替案として、１つ又は複数のデジタルディスプレイ（即ち、ＬＥＤ、ＬＣＤなど）に接続する各種機械的インジケータを用いて情報を伝達することができる。情報伝達に機械的インジケータを使用することにより、伝統的な高性能／高品質な装置を構築することができる。ある実施例において、装置は、放送塔又はその他の信号伝送システム／装置から送信された情報を受信するよう特に構成された腕時計でもよい。したがって、本発明によると、時計デバイスのような装置が、いっそう洗練されたスタイルと外観を有して、ワイヤレス送信を介して受信した情報を表示することができる。
【発明を実施するための最良の形態】
【０００８】
以下に簡単に要約してある添付図面、本発明の図示の実施例の詳細説明、及び添付した請求項を参照することにより、本発明及びその改良点をより完全に理解することができる。
【０００９】
本発明を、情報を受信し表示するためのワイヤレス通信機器をとの関連で説明する。説明する実施例において、本装置は、以下に詳述するように、通信信号を受信するよう特別に構成された時計型デバイスであってもよい。以下の詳細記述を読むと明らかなように、機械的要素又はデジタルインジケータと一体となった機械的要素を用いて、少なくともある程度、送信源から送信された受信ワイヤレス信号に基づいて、この装置は情報を表示する。説明する実施例からの軽微な逸脱は、本発明の精神からの逸脱にはならないことも明らかになるであろう。
【００１０】
ここでは時計に基づくシステムに関して説明するが、本出願で述べた内容は、携帯型及びデスクトップのコンピュータ、パーソナルデジタルアシスタント（ＰＤＡ）、携帯電話、時計などの、任意の他のモバイル又は非移動式機器に同様に応用できることは明らかである。時計の使用は、以下の説明を簡単にするための説明目的のみであって、時計を「モバイル機器」と置き換えて使用できる。
【００１１】
「コンピュータ読み取り可能な媒体」は、クライアント／サーバ装置を用いてアクセスし得る任意の利用可能な媒体であることができる。例として、これに限定されないが、コンピュータ読み取り可能な媒体は、コンピュータ記憶媒体及び通信媒体を備えてもよい。コンピュータ記憶媒体は、揮発性及び不揮発性の媒体、取外し可能な及び取外し不可能でない媒体を含み、コンピュータ読出し可能命令、データ構造体、プログラムモジュール又はその他のデータ等の情報を格納するための任意の方法又は技術により実施される。コンピュータ記憶媒体に含まれるのは、これらに限定されないが、ＲＡＭ、ＲＯＭ、ＥＥＰＲＯＭ、フラッシュメモリ、若しくは他のメモリ技術、ＣＤ−ＲＯＭ、デジタル多用途ディスク（ＤＶＤ）、若しくは他の光学式記憶装置、磁気カセット、磁気テープ、磁気ディスク記憶装置、若しくは他の磁気記憶装置、又は所望の情報を格納するのに使用でき、かつクライアント／サーバ装置によりアクセスすることのできる任意のその他の媒体である。
【００１２】
通信媒体は、典型的に、コンピュータ読む取り可能命令、データ構造体、プログラムモジュール又は他のデータを、キャリアのような変調データ信号又はその他のトランスポートメカニズムに具現する。また、通信媒体は任意の情報配信媒体を含んでいる。用語「変調データ信号」は、その１つ又は複数の特性が、情報を信号の中に符号化する方法で設定又は変更された信号を意味する。一例として、通信媒体は、これに限定されないが、有線ネットワーク又は直接配線接続等の有線媒体、及び音響、ＲＦ、赤外線やその他の無線媒体のような無線媒体を含んでいる。上述した何れかを組合せたものは、コンピュータ読み取り可能な媒体の範囲に含まれる。
【００１３】
用語「コンテンツ」は、電子装置の中に格納可能な任意の情報であることができる。一例として、コンテンツは、これに限定されないが、図形情報、文字情報、及び図形情報と文字情報の任意の組合せを含んでもよい。コンテンツは、表示可能な情報又は聴覚情報であってよい。聴覚情報は、単一の音又は音の流れを含んでもよい。
【００１４】
以下、図面を参照して本発明の実施例について説明する。  
本発明に関する全動作環境を、図１及び図２を参照して以下に説明する。  
＜動作環境＞
図１は、本発明を説明するための動作環境の一例を示す図である。図示する動作環境１００において、ＦＭ信号又は放送が、通信チャネル１１０を通じて各種電子装置に対し送信される。ＦＭ受信機又はトランシーバを有する電子装置は、デスクトップコンピュータ、時計、携帯型コンピュータ、ワイヤレスセル方式電話（携帯電話）、及び／又はパーソナルデータアシスタント（ＰＤＡ）を含んでいる。電子装置は、ＦＭ放送から情報を受信する構成となっている。ＦＭ放送は、これらに限らないが、標準ＦＭ送信、サブキャリアＦＭ送信、又は所望に応じて任意の別の型のＦＭ送信を含む多数の型のいずれでもよい。
【００１５】
インタラクションモデルにより、動作するよう配置された電子システムを含む電子装置の例を図１に示す。この電子装置は、上述したＦＭ送信システム等のワイヤレスインターフェースを使用することができる。電子システムの各々は、通信チャネルを通じてメッセージ／情報を受信する。
【００１６】
放送送信の各々は、１つ又は複数のフレームの送信に対応する。各フレームは、複数のメッセージを含むことができ、そのうち幾つかのメッセージは公共放送（別名「グローバル」又は「共有」メッセージ）であるが、その他のメッセージはクライアント固有メッセージ（別名「パーソナル」又は「プライベート」メッセージ）である。指定のサービス区域内にいる各クライアントは、共有メッセージを受信することができるが、プライベートメッセージを復号化できるのは、１人のクライアントのみである。
【００１７】
電子デバイス（例えば、無線時計デバイス）は、クライアントデバイス宛のメッセージパケットを、共有及びプライベートメッセージによって受信する。メッセージパケットは、論理スロット（即ち、チャネル）エントリ番号によってグループに組織される。例えば、ある特定の電子デバイスは、利用可能なチャネルから選択された１グループのチャネルを受信する構成となっている。これらチャネルの各々と関連したメッセージパケットを、クライアントデバイスが、受信、処理、格納する。格納されたメッセージパケットは、本発明により、インタラクションモデルを使用するユーザインターフェースを用いてレビューすることができる。
【００１８】
チャネルの例は、時刻チャネル、メッセージチャネル、コンタクトチャネル、カレンダチャネル、気象チャネル、株式チャネル、ニュースチャネル、スポーツ、及び／又はゲームチャネルである。各チャネルに関連するメッセージは、チャネルの細目に基づくメッセージコンテンツを含んでいる。例えば、気象チャネルは、地方の現在の気象、全国の現在の気象、及び海外の現在の気象を含んでいる。
【００１９】
上述した動作環境は、適切な動作環境の例を提供するのであって、本発明の用途又は機能の範囲に関して何らかの限界を示すことを意図してはいない。本発明とともに用いるのに適した他の公知のコンピューティングシステム、環境、及び／又は構成は、これらに限らないが、パーソナルコンピュータ、サーバコンピュータ、ハンドヘルド又はラップトップデバイス、マルチプロセッサシステム、マイクロプロセッサベースのシステム、プログラム可能な家庭用電化製品、ネットワークＰＣ、ミニコンピュータ、メインフレームコンピュータ、上述したシステム又はデバイスの何れかを含む分散コンピューティング環境などを含んでいる。
【００２０】
＜電子システム＞
図２は、電子デバイスの機能コンポーネントを示す概略図である。この電子デバイス２００は、プロセッサ２６０とメモリ２６２とディスプレイ２２８及びユーザインターフェース２３２を備えている。メモリ２６２は、一般的に、揮発性メモリ（例えば、ＲＡＭ）及び不揮発性メモリ（例えば、ＲＯＭ、フラッシュメモリなど）の両方を含んでいる。また、電子デバイス２００は、マイクロソフト社製ウインドウズＣＥオペレーティングシステム又は他のオペレーティングシステムなどの、オペレーティングシステム２６４を含み、オペレーティングシステム２６４は、メモリ２６２に常駐してプロセッサ２６０上で実行する。ユーザインターフェース２３２は、一連のプッシュボタン、スクロールホイール、数字ダイアルパッド（典型的な電話にあるような）、又は他の型のユーザインターフェースでもよい。ディスプレイ２２８は、液晶ディスプレイ、マルチビットディスプレイ、機械的ディスプレイ、ハイブリッドディスプレイ、若しくはフルカラーディスプレイ、又は電子デバイスに普通使用される任意の他の型のディスプレイでもよい。一例において、ディスプレイ２２８は、入力装置として働くようにタッチセンシティブであってもよい。
【００２１】
１つ又は複数のアプリケーションプログラム２６６は、メモリ２６２にロードされ、オペレーティングシステム２６４上を走る。アプリケーションプログラムの例は、フォーンダイヤラープログラム、電子メールプログラム、スケジュール／カレンダープログラム、ＰＩＭ（個人情報管理）プログラム、インターネットブラウザプログラムなどである。電子デバイス２００は、メモリ２６２内に置かれる不揮発性記憶装置２６８も含んでいる。この不揮発性記憶装置２６８は、電子デバイス２００の電源が切れても失ってはならない永続情報の格納に使用してもよい。アプリケーション２６６は、電子メール又は電子メールアプリケーションが使用する電子メール以外のメッセージ、ＰＩＭが使用するコンタクト情報、スケジュールプログラムが使用するアポイント情報、文書処理アプリケーションが使用する文書など、記憶装置２６８内の情報を使用し格納することができる。
【００２２】
電子デバイス２００は、電源２７０を有し、この電源２７０は１つ又は複数の電池として実施してもよい。また、電源２７０は、さらに、電池を補完又は充電する、ＡＣアダプタ又は充電器のような外付け電源を含んでもよい。
【００２３】
電子デバイス２００を、各種の型の外付け通知メカニズムと共に示す。その外付け通知メカニズムとは、１つ又は複数の発光ダイオード（ＬＥＤ）２４０、オーディオインターフェース２７４、触覚インターフェース２７６、及びディスプレイ２２８の１部として含まれる１つ又は複数の機械的要素２７８である。プロセッサ２６０及びその他のコンポーネントが節電のため停止しても、これらのデバイスは、作動させるとき、通知メカニズムが指示する期間だけオンのままになるよう、直接、電源２７０に接続される。ＬＥＤ２４０は、ユーザが行動を起こすまで無期限でオンのままになるようプログラムでき、デバイスの電源オンの状態を示している。オーディオインターフェース２７４は、ユーザに対してオーディオ信号を提供し、かつユーザからオーディオ信号を受信するため使用される。例えば、電話の会話が容易になるように、すなわち、音声認識を用いるユーザインターフェースとして、オーディオインターフェース２７４は、オーディオ出力を提供するためスピーカーに接続してもよく、オーディオ入力を受信するためマイクロフォンに接続してもよい。他の実施例においては、さらに後述するように、振動装置（触覚インターフェース２７６）を使用して、新着メッセージ及び／又は他の情報についてユーザに注意を喚起するためなど、ユーザに対してフィードバックを与えることができる。電子デバイス２００は、各警報メカニズム（例えば、オーディオ、振動、及び視覚的キュー）を別個に制御して差し支えない。
【００２４】
電子デバイス２００は、また、無線周波数通信を受信及び／又は送信する機能を実行する無線インターフェース層２７２をも含んでいる。この無線インターフェース層２７２は、通信キャリア又はサービスプロバイダを通じて、電子デバイス２００と外界との間の無線接続性を円滑にする。無線インターフェース層２７２との送受信は、オペレーティングシステム２６４の制御の下で実施される。言い換えると、無線インターフェース層２７２が受信する通信は、オペレーティングシステム２６４を介してアプリケーションプログラム２６６に配布することができる。逆もまた同様である（下記に記述）。
【００２５】
本発明の一実施例において、電子デバイス２００は、ワイヤレスインターフェースを含む時計デバイスのようなモバイル電子機器である。後述するように、時計デバイスのための例示的ユーザインターフェースを図３Ａ及び図３Ｂに示す。後述のユーザインターフェース構成は複数の選択ボタン（例えば、４つの選択ボタン）を有するけれども、選択ボタンの多くの機能を、単一のセレクタ（例えば、ボタン、ロケットスイッチ、ホイールなど）を用いて組み合わせてもよい。
【００２６】
＜ユーザインターフェース（ＵＩ）＞
図３Ａは、本発明により動作する構成の電子システムにユーザインターフェースを有する例示的な時計デバイスを示す図である。この時計デバイス３００は、ベゼル（ｂｅｚｅｌ）３０２を含み、このベゼル３０２は電子システムを有する（図２及び下の図４を参照）。ベゼル３０２は、アナログ及び／又はデジタルディスプレイ３０４を有する。また、ベゼル３０２は、時、分、及び秒を追うためのアナログ型の時計針３０６ａ〜３０６ｃを有する。他の実施例においては、時計針を使用して他の情報を追跡するか又はそれに注意を喚起する。
【００２７】
時計デバイス３００は、ユーザインターフェース（ＵＩ）として動作するよう配置された一連のセレクタ３０８ａ〜３０８ｃを含んでいる。セレクタ３０８ｃは、並進運動と回転運動の両方により動作し、さらに後述するように、複数の機能を実行することができる。デフォルト機能、及び／又はコンテキストで決まる機能を持つ各セレクタを実施できる。現在選択されているチャネルが、各セレクタのコンテキストを定める。電子時計デバイス３００は、各セレクタに関連付けられた機能が、選択されているチャネル又は表示画面に基づいて変動し得るとの点で、コンテキストセンシティブである。
【００２８】
セレクタ３０８ａのうちの第１のセレクタは、第１のアナログ及び／又はデジタルディスプレイ３１０を制御する。図３Ａにおいて、ディスプレイ３１０はアナログディスプレイである。ここで使用するとき、「アナログディスプレイ」は、機械的インジケータを用いて情報を示すことを意味する。図３Ａのアナログディスプレイは、「正」と「負」のインジケータ等の複数の「チック」マークを有する階調化領域が含まれる。各チックマークを使用して、量の大小、ステータス、又は総量を示してもよい。アナログディスプレイは、さらに、時計デバイス３００が受信して処理するワイヤレス情報に基づいてチックマークを指すためのポインタ３１２を有する。同様の方法で、セレクタ３０８ｂのうち第２のセレクタは、第２のアナログ及び／又はデジタルディスプレイ３１４を制御する。この例に関しては、ディスプレイ３１４はデジタルディスプレイで、選択された現在チャネルとして株式インジケータを示している。後述するように、時計デバイス３００は、デジタルディスプレイ３１４上に表示することのできる各種の現在のチャネルインジケータを含んでいる。図３Ａは、株式チャネルが現在チャネルであることを示している。この場合は、アナログディスプレイ３１０の「ゼロ」表示に基づいて、これまで変動は生じていない。例えば、ナスダックのような株式チャネルにおける正の変動は、ポインタ３１２がアナログディスプレイの正の側を指して示される。株式チャネルにおける負の変動は、ポインタ３１２がアナログディスプレイの負の側を指して示される。
【００２９】
一実施例として、セレクタ３０８ａを作動させることにより、ディスプレイをデフォルト設定にリセットすることができる。他の実施例として、セレクタ３０８ａを作動させることにより、現在表示されているイベント／カテゴリから以前のイベント／カテゴリにペイジを繰り上げてもよい。ディスプレイ３１０のリセットは、第１セレクタを所定時間だけ作動させることにより達成できる。例えば、セレクタが図３Ａに示すようにボタンであるとき、設定機能が作動するまで、２秒のようなタイムアウト間隔で、そのボタンを保持する。他の実施例として、セレクタ３０８ｂを作動させることにより、現在表示されているイベント／カテゴリから以前のイベント／カテゴリにペイジを繰り下げてもよい。セレクタ３０８ａ、３０８ｂ両方を、同時に所定の間隔だけ押すときバックライト機能を利用してもよい。
【００３０】
図３Ａに示す実施例においては、セレクタ３０８ｃのうち第３のセレクタが、アナログ時計針３０６ａ〜３０６ｃの制御を含むデバイスの各種態様を制御する。第３セレクタは、ベゼルから複数の位置に退避させることができる。それぞれの位置において、第３セレクタは時計方向又は反時計方向に回転して一定の機能を制御することができる。第３セレクタの位置状態のうち１つは、１つ又は複数のアナログ／デジタルディスプレイを制御するためにも動作することができる。即ち、第３セレクタを、「マスター」セレクタとして構成し、時計デバイス３００の機能側面全部を制御する動作をさせてもよい。第３セレクタ３０８ｃは、現在選択されているチャネル（例えば、株式チャネル）又はディスプレイに基づいて代替機能を持たせてもよい。一実施例において、第３セレクタをベゼルに対して第１位置に退避させ、時計方向に所定の時間間隔(例えば、２秒)だけ回転させることによって、第３セレクタを作動させ、主チャネル、つまり「一次（ｐｒｉｍａｒｙ）」チャネル（この例では、株式チャネル）を選ぶ。セレクタは、電子デバイスがチャネル上でコンテンツのナビゲートと選択を簡単な方法で成就するよう配置される。
【００３１】
セレクタ３０８ａ〜３０８ｃは、また、ホイールタイプのデバイスで置き換えることもできる。セレクタの機能は、ホイールデバイスを時計方向及び／又は反時計方向に回転させること及び／又はホイールデバイスを時計ベゼルに向かって押すことにより作動させることができる。セレクタメカニズムの他の例を採用して差し支えなく、本発明を、ここに記述する特定の例／実施例に限定することを意図していない。
【００３２】
＜ワイヤレスデータの表示＞
本発明によって、送信源から送信される、ワイヤレス信号、好適には無線信号を受信し処理するためのデバイスが提供される。そのデバイスは、ワイヤレス信号から抽出される各種情報を表示する動作をする。そのデバイスは、株式、スポーツ、気象、及びその他の情報等の「リアルタイム」情報を受信し、部分的に又は全てアナログ（機械的）インジケータメカニズムを使用して、その情報を表示する動作をする。本発明は、ワイヤレス電子デバイスの洗練されていない又は好ましくない表示特性のため、そのデバイスの使用又は着用を好まない消費者に、解決策を提供する。例えば、一定の時計消費者は、クォーツディスプレイ、クロノグラフの外観、万年暦、機械的巻き方等の一定のユーザ指向の特性を有しない時計を着用しようとしない。他のユーザは、多数の電子時計及びその他の製品に伴うどちらかと言えば洗練されていないデジタルディスプレイに不満足である。本発明は、消費者の満足と好みに関連するこれら及びその他の問題に対する解決策を提供する。しかしながら、本発明は、時計デバイスに限定されないことは理解され、当業者は他のモバイル電子機器にとっての本発明の恩恵を認識するであろう。
【００３３】
図４Ａは、上述した時計デバイスに加えて、さらに他の例示的な時計デバイスを示す図である。この時計デバイス４００は、本発明により動作する構成の電子システム４０２を含んでいる。時計デバイス４００は時計バンド４０４を含み、時計バンド４０４は、バンドに付いたアンテナ又はバンド内に組み込まれたアンテナのいずれかを含んでいる。このアンテナは、時計に内蔵の電子システム４０２に接続される。電子システム４０２は、図４Ａに示すように、ベゼルの中か、又は時計デバイスのどこか他の部分に収容してもよい。
【００３４】
電子システム４０２は、コンピュータに基づくシステムであって、受信機及び／又はトランシーバの何れかとして動作する機能を含んでいる。図４Ａに示すように、この電子システム４０２は、トランシーバ４０６とマイクロコンピュータユニット又はマイクロプロセッサ４０８及びアナログ無線４１０を備えている。アンテナは、トランシーバ４０６に接続され、これにより制御される。マイクロプロセッサ４０８と無線コンポーネントとの間のトランザクションは、マイクロプロセッサ−デジタルトランシーバインターフェースにより仲介される。時計デバイス４００のコンポーネントは、時計サイズの筐体に収容され、動作に関してはバッテリ電源に依存する。
【００３５】
トランシーバ４０６は、一般的に、トランシーバのコントロールとスケジューリング及び後処理タスクを実行するデジタル信号プロセッサ（ＤＳＰ）４１２とを備えている。また、デジタル無線、システムタイミング、及びリアルタイムイベントディスパッチングを含むリアルタイムデバイス（ＲＴＤ）４１４も備えている。ＤＳＰ４１２は、マイクロプロセッサ４０８に接続して、トランシーバタスクはマイクロプロセッサ４０８が命令する。
【００３６】
ＤＳＰのタスクの１つは、受信データの処理である。その受信データ処理の目的は、サブキャリア位相の復元、ボー復元及び／又はトラッキング、フェーディング効果の補正、復調、インターリーブ解除、チャネル状態評価及びエラー修正などである。パケットの後処理は、パケット全部を受信し終えたときか、又はそれに続く時期に行われ得る。ＤＳＰ４１２は、送信されたデータパケットを解析して、放送局の信号タイミングをＲＴＤ４１４のローカルクロックに対して判定する。ローカルクロックを、送信機のクロック信号に同期させて、信号サンプリングの完全性を維持する。受信機を、定期的に送信機とシンボル同期し、受信データの誤読を最小にする。
【００３７】
ＲＴＤ４１４のデジタル部分は、マイクロプロセッサ４０８及びＤＳＰ４１２にシステムクロックを提供する水晶発振器等のシステムのタイムベースジェネレータを含んでいる。タイムベースは、また、必要な時に、送受信動作のためボー及びサンプルのタイミングを提供し、無線動作のため開始／停止制御を提供し、クロック一時停止の期間を制御する。ＲＴＤ４１４は、無線動作も実行し、それ以外の追加動作も実行することができる。無線４１０は、パケットに配置されているデータのセグメントを受信する配置とする。
【００３８】
上述したように、ユーザインターフェースは、１つ又は複数のサービスを選択するための手段として構成される。一実施例において、ワイヤレスクライアントデバイスのユーザは、ユーザインターフェースと相互に作用して、ニュース、株価、気象等のサービスを選択したり、パーソナルカレンダ、住所録等の他の機能を選択する。選択されたサービスは、後の放送送信のためデータベースに入力される。指定の時刻（又は時間間隔）に、スケジューリングインターフェースが放送サーバと交信して、選択されたサービスのため一連のデータ送信を開始する。放送サーバは、次に、１つ又は複数のワイヤレスクライアントデバイスによる受信のためデータをフォーマットし、そのデータを送信のための待ち行列に入れ、待ち行列のデータを送信のためＦＭ放送塔に通信する。他の実施例においては、スケジューリングインターフェースが、選択されたサービスを放送サーバに通信する。放送サーバは、選択されたサービスの送信のため時間間隔をスケジュールする。
【００３９】
放送送信の各々は、フレームプロトコルにより配置される１つ又は複数のフレームの送信に対応する。フレームの各々は、複数のメッセージを含むことができ、その場合、若干のメッセージは公共放送（別名「グローバル」又は「共有」メッセージ）であるが、他のメッセージは、クライアント固有のメッセージ（別名「パーソナル」又は「プライベート」メッセージ）である。各フレームは、次の送信フレーム内にあるメッセージの範囲を示すコンテンツのテーブルを含んでいる。指定サービス区域内にいる各クライアントは共有メッセージを受信できるが、プライベートメッセージを復号化することができるのは単一のクライアントのみである。
【００４０】
各フレームは、ヘッダ、コンテンツのテーブル、及び前述のように１つ又は複数の選択されたサービスに関するコンテンツを含むメッセージペイロードを含んでいる。ヘッダは、また、認証データ、識別されたサービス区域、言語、識別されたサービス区域の利用可能局、フレーム番号、及びタイムスタンプ等の他の情報をも含んでいる。制御情報もヘッダのうち１つに含むことができ、利用可能チャネルの変更、特定のワイヤレスクライアントデバイスに対するサービス区域の割当、及び特定チャネル（周波数）の割当等の放送条件を指示する。一実施例において、各フレームは、ヘッダのうち１つに変更カウンタを含み、システム内で変更が発生したことを指示する。ワイヤレスクライアントデバイス（クライアント）は、変更カウンタを利用して、フェールオーバーを始動する時期（放送塔が利用不能になる時期）を判定することができる。
【００４１】
クライアントデバイスは、ＯＳＩネットワークモデルと同様の一連の層に組織することができる。この層は、物理層とリンク層とネットワーク層とトランスポート層及びアプリケーション層とを備えている。物理層は、ＦＭサブキャリア送信情報を受信してリンク層に対し記号を提供する。リンク層は、記号をセグメントに分割し、ビタビ符号化（ｖｉｔｅｒｂｉ  ｃｏｄｉｎｇ）、データの白色化、及びインターリーブ機能を取扱う。ネットワーク層は、セグメントを受領して論理パケットを作成する。ネットワーク層は、また、巡回符号検査（ＣＲＣ）、暗号化、及びリードソロモン符号を取扱う。トランスポート層は、論理パケットを復号して、コンテンツのテーブル（ＴＯＣ）を回収し、また、アプリケーション層に対する通信を取扱うデータハンドラを含んでいる。アプリケーション層は、クライアントデバイスに常駐し放送サービスの申込みに関連する一連のアプリケーションを含んでいる。
【００４２】
クライアントデバイス上のアプリケーションは、トランスポート層に登録される。トランスポート層は、登録されたアプリケーション各々のためデータハンドラを保持し、また、ネットワーク層から受領する論理パケットからＴＯＣを回収する。トランスポート層は、サービスＩＤを用いて識別し、次のフレーム送信においてデータ流が入手できることを、登録されたアプリケーションに通知する。各アプリケーションプログラムは、一連のメトリクスを適用して、データ流の受信のための優先度を判定し、これをクライアントデバイス内のトランスポート層に提出する。優先データ、エラー訂正要求のような任意の基準と共に、基本レベル及び高優先レベルに基づいて、クライアントデバイス上の各アプリケーションが独立に優先順位の決定を実行する。トランスポート層は、リクエスト全部を精査し、承認するリクエストを決定して、承認するリクエストをネットワーク層に対するパケットリクエストに変換する。ネットワーク層は関係パケットを次のフレーム送信において回収し、そのパケットを登録された関係アプリケーションに対してデータハンドラを通じて引き渡す。
【００４３】
図４Ｂは、ワイヤレスクライアントデバイスの機能ブロック図を示す図である。ここに記述するように、ワイヤレスクライアントデバイス４２０は、主にＣ＃等の．ＮＥＴフレームワーク標準言語に基づいた、フレキシブルで、カスタマイズ可能なプログラム作成環境を提供する。また、このワイヤレスクライアントデバイス４２０は、既存の市販．ＮＥＴコンパイラを用いて作成される中間言語（ＩＬ）を実行する。アプリケーションは、各種のライブラリ、例えば、シェルライブラリ４２２及びハードウエアライブラリ４２４を使用し拡張することができる。シェルライブラリ４２２及びハードウエアライブラリ４２４は協調して、ユーザの入力だけでなく受信したワイヤレス信号から受信した情報もフォーマットする。このデバイスは、後述の各種機械的及び／又は電気的メカニズムを利用してフォーマットされた情報をユーザに対し提示する。
【００４４】
アーキテクチャの最下層は、機械的／電気的の層４２６であって、特に、ワイヤレス信号からの未加工の入力、ここでは受信したＦＭ送信及び／又はユーザからの未加工の入力を収集する動作をする。この層４２６は、また、未加工の入力及び／又はユーザインタラクション自体に応答して、フォーマットされた情報をユーザに提示する動作もする。このソフトウエア駆動環境における動作を可能にするために、機械的ディスプレイ又はアナログディスプレイへの出力には、組み込みの機械的−電気的変換が必要となり、その結果をハードウエアアブストラクションレイヤ（ＨＡＬ）４２８が取扱う。ＨＡＬ層４２８は、未加工電気信号とビット符号化情報との間のインターフェース層として働く。ＨＡＬ層４２８は、基礎になるハードウエア全体に一般化を提供し、共通言語ランタイム（ＣＬＲ）層４３０が、類似の特性を示す異なったハードウエアコンポーネントを、均質な方法で扱うことができるようにする。
【００４５】
引き続き図４Ｂを参照すると、ＣＬＲ層４３０は、アプリケーションの実行を管理し、標準ＩＬ言語の実行のため、全てのサービスと型システムの実施を提供する。この実施例においては、ＣＬＲ層４３０及びＨＡＬ層４２８は、それぞれ相互作用をして、アプリケーションのプログラム作成及び実行のため、オペレーティングシステム（ＯＳ）環境を提供する。ＣＬＲ層４３０は、ＨＡＬ層４２８に出入するハードウエアイベントをまとめて移動し、統合して、それらを使用するためライブラリ層４３２に公開すると共に、ライブラリ層呼出から各種イベントを収集する。
【００４６】
この実施例によると、ライブラリは、高級 .NETフレームワーク言語により実施され、ＩＬコードにコンパイルされる。ライブラリはオブジェクト指向ＡＰＩであって、アプリケーションプログラマに公開される唯一の層であり、安全な実行環境を提供する。ワイヤレスクライアントデバイス４２０は、ハードウエアライブラリ及び管理されたドライバライブラリを含み、リッスンする間、及び、ボタンプレス又はワイヤレス信号捕捉イベントのような、ハードウエアイベントに対し応答する間に、基礎をなすハードウエアを駆動する能力のあるオブジェクト指向ＡＰＩを提供する多数のライブラリを利用する。他の実施例によると、ライブラリ及びドライバは、各種Ｈ／Ｗ特性に合致するよう拡張される。
【００４７】
上述したように、各ワイヤレスクライアントデバイス４２０は、汎用Ｉ／Ｏ（ＧｐＩＯ）、ＶＴＵ（多目的タイマーユニット）、ＳＰＩ及びハードウエアを駆動し交信することを意味するその他の機能のような追加機能のあるＡＲＭ７（又は９）コアを有するプロセッサを含んでいる。ＶＴＵは、明確なパルス幅変調（ＰＷＭ）機能と同時に入力補足機能を呈する。ここに記述する各種アナログ（機械的）インジケータを含む外部ハードウエアは、シェル４２２及びＨ／Ｗ４２４ライブラリにおけるオブジェクトのセットに抽象化される。これらのオブジェクトは、Ｈ／Ｗの関心の特性を、管理されるアプリケーションに対して公開し、プロセッサのハードウエアと交信し駆動する能力を強化する。ハードウエア及びアプリケーションは２方向相互作用、アプリケーションはプッシュとプルの両メカニズムを用いてＨ／Ｗからデータを収集することが出来ること、及びＨ／Ｗを強制的に特定の状態に入らせ、したがってそれを駆動することが出来ること、を備えるのが好ましい。即ち。したがって、ハードウエア層４３２とアプリケーション層４３４との往復交信は、ＡＰＩオブジェクトモデルのトップに双方向性で構築される。
【００４８】
上述したように、Ｈ／Ｗを通じるアプリケーション入力は、例えば、無線などの、ワイヤレス信号チャネルを通して、又はホストＰＣに対する接続（ＣＯＭ又はＵＳＢ）を通じるか若しくはここでも直接ユーザ入力を通じるかで、受信されるユーザ入力及びワイヤレス信号データである。アプリケーションの出力は、ホストＰＣの上で走っているアプリケーションに向けられるか、又はユーザに情報を提示する設計の電気的及び／又は機械的媒体に向けられる精緻に仕上げられたデータから構成される。
【００４９】
オブジェクトＡＰＩ、及びそのＣＬＲ層並びに基礎になるＨＡＬ層との相互作用により、アプリケーションプログラマは、情報を極めて多様のメカニズムを用いて表現することが出来る。プレゼンテーション層は、視覚的、触覚的及び可聴式のメカニズムを用いる。これらは、電気的又は機械的、ＬＥＤ及びＬＣＤディスプレイ、時計針、文字盤、リング、ディスク、及び一般的に電気的に変調された情報源によって駆動することが出来て、触覚的、視覚的及び／又は可聴式のフィードバックを生じる任意の運動メカニズム又は静止メカニズムである。当業者は、ユーザに情報を伝達するため役立つ各種のメカニズムを理解するであろう。依って、本発明は、ここに記述する例又は説明図の何れにも限定されることを意味しない。
【００５０】
このメカニズムは、オブジェクトＡＰＩ層からの電気信号の作成及び変調を制御することによりプログラム可能である。例えば、一つの実装では、コアのＧｐＩＯ及びＶＴＵ回路を駆動する能力のある一般ＡＰＩを使用するか、又はこれら基礎となるＡＰＩを使用するか、若しくはＣＬＲ層及びＨＡＬ層の中の特殊目的ルーチンを直接呼出すもっと洗練された独特のドライバを使用することによる。ライブラリは、プッシュ及びプル双方のプログラミングパラダイムを使用することの出来る設計となっている。ＣＬＲ層は、Ｈ／Ｗイベントに応答してライブラリの中に呼び戻すことが出来るか、又はライブラリがＣＬＲ層４３０をポールし、これが次にＨＡＬ層４２８をポールしてＨ／Ｗ状態を抽出し、変化に際して行動する。
【００５１】
もう一度図３Ａを参照すると、ワイヤレス信号、例えば、ＦＭチャネルを通しての信号放送から受信した情報を表示する時計デバイス３００が示されている。この時計デバイス３００は、洗練され伝統的に気品のある外観のため多くの消費者に取って好ましい。また、時計デバイス３００は、範疇又は背景状況及び／又は値に関する情報を表示するため複合アナログ及び／又は機械的ディスプレイを含んでいる。この実施例に対し、時計のユーザは、上述したセレクタ３０８のうち１つを用いて、時計を株式情報チャネルに設定した。任意選択で、株式情報チャネルは、ユーザの好みに基づいて規定値チャネルとして含むことができる。
【００５２】
上述したように、時計デバイス３００は、無線周波数（ＲＦ）駆動送信源、好適には周波数変調送信源から送信されるワイヤレス信号から受信する情報を表示するため、アナログ又は機械的表示機能３１０及び／又はデジタルディスプレイ３１４を含んでいる。ワイヤレス信号の中に収容される情報は、株式情報、スポーツ情報、気象情報、及びその他の所望のユーザ情報を含んでいる。発明の時計デバイスにより、ワイヤレス信号から受信される情報を、以下に記述するアナログ及び／又は機械的表示機能を用いて、ユーザに伝達することが出来る。
【００５３】
図３Ａに示すように、時計デバイス３００は、ワイヤレス信号から受信した情報を伝達するためアナログディスプレイ３１０を含んでいる。この実施例に関しては、情報は、デジタルディスプレイ３１４を通じても伝達される。ディスプレイ３１０及び３１４は協調して、現在選択されているチャネルに基づく情報をユーザに対して伝達する。ユーザは、ユーザインターフェースを用いて、表示のためのチャネルを選択する。ユーザは、また、表示の更新のための更新速度を選択することができる。時計デバイス３００は、ワイヤレス信号を受信し信号からの情報を流布するためのタイミングメカニズムを含んでいる。このタイミングメカニズムは、ユーザの好みにより調節することができる。
【００５４】
他の実施例において、チャネルは回転スケジュールの一部として自動的に表示される。例えば、アナログ及びデジタルディスプレイ３１０及び３１４は、株式チャネル送信に基づいて株式情報を所定の時間周期で更新して伝達する。それぞれの表示を独立に更新することも可能である。所定の時間周期、例えば、２分の後、アナログ及びデジタルディスプレイ３１０及び３１４は、スポーツチャネル送信に基づいてスポーツ関連情報を所定の時間周期だけ表示することができる。この周期は、他の表示周期に比較して異なる周期であってもよい。このタイミング及び更新機能は、下記に説明する実施例に適用することができる。
【００５５】
図３Ａに示す例によると、時計デバイス３００は、現在ワイヤレス放送送信を株式チャネルから受信している。情報アイコン３１６、この特定の例については株式チャネルインジケータは、時計デバイス３００のユーザに対し現在チャネルが株式チャネルであることに注意を喚起する。即ち、株式情報アイコン３１６が、デジタルディスプレイ３１４に表示され、デバイス３００のユーザに対し背景状況を提供する。株式情報アイコンは、以下にさらに記述するアナログディスプレイを用いても表示することができる。２つのディスプレイ３１０及び３１４は協力して、ユーザに対し現在示されている株式チャネルに基づく情報を伝達する。デジタルディスプレイ３１４は、時計デバイスが現在株式チャネルから情報を受信していることをユーザに告知している。
【００５６】
アナログディスプレイ３１０は、ポインタ３１２並びに「プラス」及び「マイナス」のインジケータ３１３ａ及び３１３ｂを含んでいる。「プラス」及び「マイナス」のインジケータは、デジタルディスプレイ３１４に表示される現在チャネルにより株式指数における正及び負の変動に相当する。他の実施例においては、「プラス」及び「マイナス」のインジケータは、フットボール試合のようなスポーツの背景状況における競争相手に関係する正及び負の変動に相当する。正の表示は、ユーザに対して、特定の株式、チームなどが現在の表示を基に上昇であることを伝達する。
【００５７】
相対情報を伝達するポインタ３１２は、一部はワイヤレス放送信号から受信する情報が制御する。上述したように、ワイヤレス信号を処理した後、電子システムは、ポインタ３１２の動きを制御するため、入力の制御情報を変換する。電子システムは、また、情報を変換してデジタルディスプレイ３１４の出力を制御する。段階的なアナログディスプレイは、現在表示されているチャネルに対して重大な変化、変化なし、又は軽微な変化が生じたか否かについてユーザの注意を喚起する。ポインタ３１２が「プラス」又は「マイナス」区画に遠くまで広がる程、変化は大きい。図３Ａに示すように、アナログディスプレイ３１０のポインタ３１２は、ユーザに対し、デジタルディスプレイ３１４（この実施例に関してはナスダックチャネル）が現在のところ変化なしであることを伝達する。時計デバイス３００は、デジタルディスプレイ及び／又はアナログディスプレイが同様に他の情報アイコンを含んでも差し支えなく、情報内容の何れの特定の型にも限定されない。
【００５８】
例えば、時計デバイス３００は、株式チャネル放送サービスから株式市況を含む送信メッセージを受信する。株式チャネルに関する放送サービスは、クライアントデバイスの上のアプリケーションのため索引の付いている一連の定期購読株式市況（例えば、ＭＳＦＴ、ＩＢＭ、ＯＲＣＬ、など）を有する。この型のデータストリームに関しては、ストリームロケータが、クライアントデバイスのための株式チャネルアプリケーションの上の株式市況メッセージに関する開始位置を識別する。その後に続く株式市況の各々は、ストリームロケータが識別する開始位置の後に順に続く別個のメッセージである。クライアントは、アプリケーション層のためコンテンツを非直列化するまでに、メッセージのパケット全部を収集する。
【００５９】
ここで、ワイヤレス信号、例えば、ＦＭチャネルを通しての信号放送、から受信する情報を表示する別の時計デバイス３３０を示す図３Ｂを参照する。この実施例に関しては、時計のユーザは、図３Ａに関連して上述したのと同様の複数のセレクタ３３２ａ〜３３２ｃのうち１つ又は複数を使用して、時計を株式情報チャネル、ナスダックに設定している。しかしながら、セレクタ３３２ｂはプッシュボタン型のセレクタである。上述したように、時計デバイス３３０は、無線周波数（ＲＦ）駆動の送信源、好適には周波数変調送信源から送信されるワイヤレス信号から受信する情報を表示するため、アナログ又は機械的表示機能３３４及び／又はデジタルディスプレイ３３６を有する。ワイヤレス信号に含まれる情報には、以下に記述するように、株式情報、スポーツ情報、気象情報及びその他所望の情報が含まれる。
【００６０】
図３Ｂで述べたように、時計デバイス３３０は、ワイヤレス信号から受信する情報を伝達するためアナログディスプレイ３３４を含む、この実施例に関しては、情報はデジタルディスプレイ３３６を通じても伝達される。２つのディスプレイ３３４及び３３６は協調して、現在選択されているチャネルに基づいて情報をユーザに対し伝達する。上述したようにユーザは、ユーザインターフェースを使って、表示のため現在のチャネルを選択してもよい。時計デバイス３３０は、現在ナスダック株式チャネルからワイヤレス放送送信を受信している。即ち、デジタルディスプレイ３３６は、この特定例に関してはナスダックインジケータ３３８を用いて、時計デバイス３３０のユーザに対し、現在チャネルはナスダック株式チャネルであることにつき注意を喚起する。ナスダックインジケータは、さらに下記に記述するように、アナログディスプレイを用いて表示してもよい。２つのディスプレイ３３４及び３３６は協調して、現在選択されている株式チャネルに基づいて情報をユーザに対し伝達する。
【００６１】
アナログディスプレイ３３４は、ポインタ３４０並びに「プラス」及び「マイナス」のインジケータ３４０ａ及び３４０ｂを含んでいる。「プラス」及び「マイナス」のインジケータは、デジタルディスプレイ３３６の中に表示されている現在チャネルによる株式指数における正及び負の変動に相当する。他の実施例においては、「プラス」及び「マイナス」のインジケータは、スポーツ試合における競争相手に対する又は温度変化に関係する正及び負の変動に相当する。「プラス」及び「マイナス」のインジケータは、気象又は金融状態の不良／良好に関する可能性にも相当する。
【００６２】
相対的情報を伝達するポインタ３４０は、ワイヤレス放送信号から受信する情報が一部を制御する。ワイヤレス情報を処理した後、電子システムはその情報を、ポインタ３４０の動きを制御するため、入力の制御情報を変換する。電子システムはまた、情報を変換してデジタルディスプレイ３３６の出力を制御する。段階的なアナログディスプレイは、上述したように、現在表示されているチャネルに関して劇的な変化、変化なし、又は軽微な変化が起こったか否かについてユーザに注意を喚起する。図３Ｂに示すように、アナログディスプレイ３３４のポインタ３４０は、ユーザに対し、時計デバイスが受信して処理した情報に基づいて、ナスダック株式チャネルが現在のところ変化なしであることを伝達している。
【００６３】
図３Ａ及び図３Ｂに示す実施例によると、小型ＬＣＤ又は同等のデジタルディスプレイを使用して、ナスダック（株式）、気圧計（気象）、ヤンキース（スポーツ）ポートフォリオ（投資）、又はアポイントメントのような、情報の範疇又は背景状況を表示する。時計の側面にあるセレクタ、又は同等のボタン機能のインターフェースが、各種範疇及び／又は背景状況の間の切換のために使用される。時計の上の追加の針又は同様のアナログデバイスは、別個に制御されて、現在選択されている背景状況に基づいて値を示す。背景状況によっては、アポイントメントのように、ポインタを用いて（＋／−スケールではなく）文字盤の上の実際の時刻位置を指して、次のアポイントメントの時刻を示すことがある。デジタルディスプレイは場所又は議題を示すことが出来る。他の型の情報は、０−１０の目盛りを用いて十進数値及び小数値を示すことが出来る。特別生産の目盛りも文字盤全部を用いて印刷することが出来る一実施例としては、時刻の位置に、天候に関しては曇、薄曇、晴、雨、などのアイコンを印刷することが出来る。他の例として、特別な針を削除して、新たな範疇が選択されたとき単に既存の針を臨時ポインタとして働かせる。
【００６４】
図５Ａ及び図５Ｂは、さらに他の例示的な時計デバイスを示す図である。この時計デバイス５００は、現在の時刻及びワイヤレス信号、例えば、ＦＭチャネル上の信号放送、から受信する別の情報を示す。時計デバイス５００は、ＦＭ送信機からの送信を受信して流布するよう調整されている。図５Ａ及び図５Ｂに示すように、時計デバイス５００は、多くの消費者に好まれる洗練された上品な外観を有する。
【００６５】
時計デバイス５００は、ベゼル５０２を含み、その中に電子システムを含むのが好適である。ベゼル５０２は、複数のアナログディスプレイ５０４及び５０６を含んでいる。このベゼル５０２は、時、分、及び秒の進みを追跡するためアナログ型時計針５０８ａ〜５０８ｃをも含んでいる。他の実施例において、この時計針は、他の情報を追跡し又はそれに注意を喚起するため使用される。この実施例に関しては、短針及び長針５０８ａ及び５０８ｂは、それぞれ発光ダイオード（ＬＥＤ）５１０ａ及び５１０ｂをも含むのが好適である。時の標識５１２それぞれもＬＥＤを含むのが好適である。時計デバイス５００は、以下にさらに記述するように、ＬＥＤを単独又は組合せで使用してユーザに対し情報を伝達する。時計デバイス５００はまた、ユーザインターフェース（ＵＩ）として作動することの出来る少なくとも１つのセレクタ５１４をも含んでいる。セレクタ５１４は、並進運動と回転運動の両方によって作動し、ユーザがセレクタを動作する方法に基づいて複数の機能を実行することが出来る（上述した図３Ａ及び図３Ｂに関する記述を参照）。
【００６６】
図５Ａに示すように、第１及び第２のアナログディスプレイ５０４及び５０６は、株式チャネルから受信する情報を表示している。一実施例によると、ユーザは時計を設定して、上述のセレクタ５１４を用いて株式情報チャネルから情報を受信する。任意選択で、このワイヤレス信号は、一部において、ワイヤレス信号に含まれる情報に基づいて、時計が表示する情報を制御する。この実施例によると、時計デバイス５００は、２つのアナログディスプレイ及び／又は少なくとも１つのＬＥＤを利用して、無線周波数（ＲＦ）駆動の送信源、好適には周波数変調送信源、から送信されるワイヤレス信号から受信する情報を表示する。
【００６７】
第１及び第２のアナログディスプレイ５０４及び５０６は、協調して、現在選択されているチャネルに基づいてユーザに対し情報を伝達する。この実施例に関しては、アナログディスプレイ５０４及び５０６はそれぞれ、時計面の一部として加工されるウインドウ、及び後述の複数の情報アイコンを含む情報インジケータメカニズムを含んでいる。第１アナログディスプレイは、ウインドウ５０４ａ及び情報インジケータメカニズム５０４ｂを含んでいる。図５Ａに示すように、時計デバイス５００は、現在ダウジョーンズ指数株式チャネルからワイヤレス放送送信を受信している。第１アナログディスプレイの情報アイコン５１６、この特定例に関してはダウ株式チャネルインジケータは、時計デバイス５００のユーザに対し、時計デバイスがワイヤレス信号からダウ株式情報を利用していることに注意を喚起する。ユーザは、第１アナログディスプレイ５０４のウインドウに表示されているダウ情報アイコンに基づいて、時計はダウ株式方法を利用していることを承知する。
【００６８】
第２アナログディスプレイ５０６も、ウインドウ５０６ａ及び複数の情報アイコンを含む情報インジケータメカニズム５０６ｂを含んでいる。第２アナログディスプレイの情報アイコン５１８は、第１アナログディスプレイ５０４の中に表示されているアイコンに基づいて追加の情報をユーザに対し提供する。例えば、第２アナログディスプレイ５０６は、現在上を指す矢印又は右上がりの三角形を有する情報アイコンを表示しており、それにより相対価値を提供している。情報アイコン５１８は、第１及び第２のアナログディスプレイのアイコンに基づいて、時計デバイス５００のユーザに対し、当日のダウ株式指数が上昇又は正であることに注意を喚起している。
【００６９】
ここでさらに、第１及び第２のアナログディスプレイ５０４及び５０６の詳細を示す図５Ｂを参照する。第１アナログディスプレイは、情報インジケータメカニズム５０４ｂを含む。この情報インジケータメカニズム５０４ｂは、複数の情報アイコン５１６ａ〜５１６ｇを含んでいる。同様の方法で、第２アナログディスプレイは、情報インジケータメカニズム５０６ｂを含んでいる。この情報インジケータメカニズム５０６ｂも、複数の情報アイコン５１８ａ〜５１８ｊを含んでいる。表示されるとき、それぞれの情報アイコンは、時計デバイス５００のユーザに対し別個の型の情報を伝達する。協調して、情報アイコン５１６ａ〜５１６ｇ及び５１８ａ〜５１８ｊは、ユーザに対し、時計デバイス５００が受信し処理するワイヤレス信号に基づいて情報を提供する。さらに詳細には、情報アイコン５１８ａ〜５１８ｊは、情報アイコン５１６ａ〜５１６ｇに関する相対的情報及び／又は固有情報を提供すると記述して差し支えない。
【００７０】
例えば、図５Ａ及び図５Ｂに示すように、時計デバイス５００は、ダウ情報アイコン５１６ａを第１アナログディスプレイ５０４の中に表示している。第２アナログディスプレイ５０６の正の矢印インジケータ５１８ａは、ワイヤレス信号から受信して処理した情報に基づいて、ダウは現在上昇であることをユーザに知らせる。表示されるとき、第２アナログディスプレイ５０６の負の矢印インジケータ５１８ｂは、ダウが現在下降であることをユーザに伝達する。続いて、表示されるとき、第２アナログディスプレイ５０６の変化無しインジケータ５１８ｃは、ダウが変化していないことをユーザに伝達する。
【００７１】
第１アナログディスプレイ５０４は、別の株式インジケータアイコン５１６ｃ〜５１６ｄ及び５１６ｆ〜５１６ｇをも含み、これらは異なる株式情報と結び付く。株式インジケータアイコン５１６ｂは、ニューヨーク証券取引所（ＮＹＥＸ）に相当し、株式インジケータアイコン５１６ｃは、アメリカ証券取引所（ＡＭＥＸ）に相当し、株式インジケータアイコン５１６ｆは、ナスダック証券取引所（ＮＡＳＤ）に相当し、及び株式インジケータアイコン５１６ｇは、スタンダード・アンド・プアーズ（Ｓ＆Ｐ）に相当する。上述したように、情報アイコン５１８ａ〜５１８ｃは、情報アイコン５１６ａ〜５１６ｃ及び情報アイコン５１６ｆ〜５１６ｇと同時に使用して、相対的情報及び／又は固有情報を、時計デバイス５００のユーザに対し提供する。
【００７２】
図５Ｂに対する参照を続けると、第１アナログディスプレイ５０４は、気圧計アイコン（ＢＡＲＭ）５１６ｄ及び気象アイコン（ＷＨＴＲ）５１６ｅをも含んでいる。第２アナログディスプレイの情報アイコン５１８ａ−ｃも、気圧計アイコン及び気象アイコンの両方と同時に使用して、気圧及び温度の上昇、無変化、又は下降を伝達する。第２アナログディスプレイ５０６はさらに、気象インジケータアイコン５１８ｄ〜５１８ｊをも含み、気象アイコン５１６ｅと同時に使われ、固有の気象情報を時計デバイス５００のユーザに対し伝達する。表示されるとき、それぞれの気象アイコンインジケータアイコンは情報を伝達する。即ち、気象アイコンインジケータアイコン５１８ｄは、ユーザに対し雪又は凍結若しくは雪又は凍結の見込みを通知し、気象アイコンインジケータアイコン５１８ｅは、ユーザに対し雷雨又は雷雨の見込みを通知し、気象アイコンインジケータアイコン５１８ｆは、ユーザに対し雨又は雨の見込みを知らせ、気象アイコンインジケータアイコン５１８ｇは、ユーザに対し雨を伴う曇を通知し、気象アイコンインジケータアイコン５１８ｈは、ユーザに対し時々曇の予報を通知し、気象アイコンインジケータアイコン５１８ｉは、ユーザに対し時々晴の予報を通知し、及び気象アイコンインジケータアイコン５１８ｊは、ユーザに対し晴の予報を通知する。このデバイスは、気象情報をユーザに対して、ユーザの現在位置又は何処か所定の位置に基づいて提供することは理解されるであろう。
【００７３】
この実施例に関しては、情報インジケータメカニズムの各々は、時計面５２０の背後に置かれるディスク又はホイールの形式で存在し、ウインドウ５０４ａ及び５０６ａを通して表示されるアイコンをユーザのみが見るようになっている。情報インジケータメカニズム５０４ｂに関しては、回転ドラム、回転テープなどのような、他のメカニズムを利用してもよい。情報インジケータメカニズムのためどのようなメカニズムを使用しようとも、目を楽しませる、即ち気品のあるように設計しなければならない。情報インジケータメカニズム５０４ｂ、この実施例に関してはディスク、は電子システムが受信して処理するワイヤレス信号に基づいて、モータ、圧電装置及び同類により駆動される。各ディスクは、電子デバイスがワイヤレス信号から処理する情報に基づいて回転して特定のアイコンを表示する。
【００７４】
図６は、さらに他の模範的な時計デバイスを示す図である。この時計デバイス６００は、図５Ａ及び図５Ｂに関連して上述したアナログディスプレイと同様のアナログディスプレイ６０２を含んでいる。このアナログディスプレイ６０２は、ユーザに対して、天候が現在時々晴であることを通知している。時計デバイス６００は、また、「プラス」及び「マイナス」のインジケータ６０６及び６０８を有する階調ディスプレイ６０４も含み、これがアナログディスプレイ６０２の中に表示される情報の相対的表示を提供する。インジケータ６１０は、階調ディスプレイの周りで回転することが可能で、ユーザに対して、アナログディスプレイ６０２に表示される情報アイコン６０３の強度、重大度、利得、損失、可能性などを通知する。インジケータ６１０の位置が正であるほど、強度、重大度、利得、起こりそうな可能性などは大きい。インジケータ６１０の位置が負であるほど、アナログディスプレイ６０２の中に表示される情報アイコン６０３による大きい損失、小さい強度、重大度、又は起こりそうな可能性を示す。インジケータ６１０は、ベゼルの周囲に置かれる一連のＬＥＤ、機械的又はアナログのデバイス、又はＬＣＤ等のデジタルディスプレイとして実施され、ワイヤレス信号送信から受信する情報に基づいて制御される。
【００７５】
本発明によって、時計デバイスは、特定の消費者の要求、例えば特定のスポーツチームに合わせることができる。
【００７６】
図７Ａ及び図７Ｂは、他の例示的な時計デバイスを示す図である。この時計デバイス７００は、スポーツファン、この例に関してはニューヨークヤンキース、の一定の要求を満足するよう仕立ててある。また、時計デバイス７００は、複数のアナログディスプレイを含んでいる。この実施例では４つで、第１アナログディスプレイ７０２、第２アナログディスプレイ７０４、第３アナログディスプレイ７０６、及び第４アナログディスプレイ７０８である。
【００７７】
この実施例によると、ユーザはニューヨークヤンキースファンとしての自分の熱意に基づいて、この時計デバイス７００を注文した。これに基づいて、時計デバイス７００は、ニューヨークヤンキーのロゴ７０３を付けて製造された。第１アナログディスプレイ７０２は、野球ゲームの現在のイニング、この実施例では第３イニングの表、についてユーザに対して通知する。第２アナログディスプレイ７０４は、ヤンキースが３得点をしていることをユーザに対して通知する。第３アナログディスプレイ７０６は、ニューヨークヤンキースがボストンと試合をしていることをユーザに対して通知し、ボストンは、第４アナログディスプレイ７０８によると、現在１得点をしている。ワイヤレススポーツチャネル送信から受信する情報に基づいて、アナログディスプレイは、例えば、贔屓チームの試合状況をユーザに対して通知する。
【００７８】
図７Ｂに示すように、第１アナログディスプレイ７０２は、第１及び第２の回転可能ディスク７０２ａ及び７０２ｂを含んでいる。第１ディスク７０２ａは、現在イニングをユーザに対して通知する。第２ディスク７０２ｂは、どちらのチームが攻撃中か、即ち、現在イニングの表か裏かをユーザに対して通知する。第２ディスク７０２ｂはまた、延長イニングを表示する作用もする。第２アナログディスプレイ７０４は、第１及び第２の回転可能ディスク７０４ａ及び７０４ｂを含んでいる。第１ディスク７０４ａは、現在得点の１の位の数値をユーザに対して通知する。第２ディスク７０４ｂは、表示されるとき、現在得点の１０の位の数値をユーザに対して通知する。第３アナログディスプレイ７０６は、ヤンキースの現在対戦相手、この例に関してはボストンレッドソックスをユーザに対して通知する。第４アナログディスプレイ７０８は、第１及び第２の回転可能ディスク７０８ａ及び７０８ｂを含んでいる。第１ディスク７０８ａは、現在得点の１の位の数値をユーザに対して通知する。第２ディスク７０８ｂは、表示されるとき、現在得点の１０の位の数値をユーザに対して通知する。
【００７９】
アナログディスプレイは、フットボール、ホッケー、ゴルフなど、ユーザの好みによって、各種のイベントに合わせて仕立てられる。任意選択で、ゲームの各種のイベントにユーザの注意を喚起するため、アナログディスプレイに追加して、多数のＬＥＤ７１０ａ〜７１０ｆを有する時計デバイス７００を製造することができる。したがって、共通モジュールを製造して、類似の用途に、即ち、例えば、他のチームなどのため、再使用して差し支えない。例えば、図８は、同一時計モジュールを有するが、シカゴカブスファンの需要、即ち、他のカラー方式、ロゴなどに合わせて仕立てた時計デバイス８００を示す図である。
【００８０】
図９Ａ及び図９Ｂは、ワイヤレス信号送信から受信する情報に基づいて「インスタント」アイコン又は顔文字を表示する作用をすることの出来る時計デバイスを示す図である。この時計デバイス９００は、ワイヤレス信号送信から受信する情報を時計デバイス９００により表示するため、アナログディスプレイ９０２を含んでいる。このアナログディスプレイ９０２は、回転可能ディスク９０６の上に分布する複数の情報アイコン９０４を含んでいる。時計デバイス９００は、愛情、幸福、悲嘆及びその他の感情を、ワイヤレス信号送信から受信して処理する情報に基づいて表示する動作をすることが出来る。時計デバイス９００はまた、現在表示されているアイコン９０４に基づいて、自宅の呼出、電子メールの確認などをすることをユーザに通知する動作をすることが出来る。
【００８１】
図１０は、さらに他の例示的な時計デバイスを示す図である。この時計デバイス１０００は、複数のアナログディスプレイ１００２、１００４、及び１００６を含んでいる。第１アナログディスプレイ１００２は、図５Ａ及び図５Ｂに関連して上述したアナログディスプレイと同様である。データのカテゴリによっては、値とコンテキスト状況の両方を伝達するアイコンとして、データ値を表現することが出来る。この実施例に関しては、雨滴のアイコンを用いて雨天を指示し、ジグザグの上向き矢印はユーザのポートフォリオの上昇を示すなどである。第２及び第３のアナログディスプレイ１００４及び１００６は、その上に刻み付けられる情報アイコン１００８及び１０１０（この実施例に関しては、日出と日没）を有する回転可能周辺ディスクとして製造される。第２及び第３のアナログディスプレイ１００４及び１００６は、日出及び日没の時刻を示す動作をする。時計デバイス１０００は、ユーザの位置又は何処か別の位置により、日出及び日没の時刻を表示する。図１０に示すように、日出はおよそ午前７時に起こり、日没はおよそ午後６時に起こる。
【００８２】
各種の他の実施例において、１つ又は複数のＬＥＤを使用して時計デバイスのユーザに対し情報を伝達する。例えば、特定の株式指数又はチームがその日に下降であるとき、又は天候が厳しいか、又は悪くなりそうなときは、ＬＥＤは「赤」を表示する。特定の株式指数又はチームがその日に上昇であるか、又は例えば、天候が良いとき、ＬＥＤは「緑」を表示する。触覚インターフェース２７６及び／又はオーディオインターフェース２７４からの振動及び／又はオーディオ出力も使用されて、時計デバイスのユーザに対し、ワイヤレス信号から受信して処理する情報に基づく情報を伝達する。例えば、時計デバイスは、ユーザのチームが試合に勝利したときか、又は株式ポートフォリオに重要な変化が生じたとき、振動及び／又は音を発生する。振動及び／又は音は、異なる出来事、例えば、敗北、勝利、株価の上昇又は下降、延長イニング又はゲーム終了など、により、異なる周波数に転調する。情報インジケータメカニズムそれぞれは、異なる型のコンテンツを伝達する動作をする多数の又は少数の情報アイコンを含むよう製造されることは理解されるであろう。したがって、本発明はここに記述する何れの例及び／又は実施例によっても限定されることを意図しない。
【００８３】
本発明は、時計デバイスに限定されない。例えば、図１１に示す矢印は、本発明を実施することの出来る自動車内の位置を指し示す。本発明は、また、例えば、分銅式大時計又はハト時計のような、その芸術的特質を保持しないとふさわしく見えない大型物体にも実施される。本発明は、これらの型の項目その他にも同様に適用することができる。ワイヤレス信号に含まれる情報は、株式情報、スポーツ情報、気象情報、及びその他所望のユーザ情報を含んでいる。さらに、本発明は、デバイスが伝達する情報の何れの固有の型にも限定されない。例えば、分銅式大時計のようなデバイスは、鐘の音の数又は音色を変えて、人に一定の薬剤服用などの注意を喚起することが出来る。
【００８４】
上述した明細書、範例及びデータは、本発明の構成の製造及び用途の完全な記述を提供する。本発明の多数の実施例は、本発明の精神と範囲を逸脱することなく変更を施すことが出来るので、本発明は、ここに付属する請求項に存在する。
【図面の簡単な説明】
【００８５】
【図１】本発明を説明するための動作環境の一例を示す図である。
【図２】電子デバイスの機能コンポーネントを示す概略図である。
【図３Ａ】本発明の一実施例による時計デバイスを示す図である。
【図３Ｂ】本発明の他の実施例による時計デバイスを示す図である。
【図４Ａ】時計デバイスと関連コンポーネントを示す図である。
【図４Ｂ】本発明の一実施例による時計デバイスの機能ブロック図である。
【図５Ａ】本発明の他の実施例による時計デバイスを示す図である。
【図５Ｂ】本発明の他の実施例による時計デバイスを示す図である。
【図６】本発明の他の実施例による時計デバイスを示す図である。
【図７Ａ】本発明のさらに他の実施例による時計デバイスを示す図である。
【図７Ｂ】本発明のさらに他の実施例による時計デバイスを示す図である。
【図８】本発明の一実施例による時計デバイスを示す図である。
【図９Ａ】本発明の他の実施例による時計デバイスを示す図である。
【図９Ｂ】本発明の他の実施例による時計デバイスを示す図である。
【図１０】本発明の一実施例による時計デバイスを示す図である。
【図１１】本発明の各種他の実施例を示す図である。
【符号の説明】
【００８６】
１００  動作環境
１１０  通信チャネル
２００  電子デバイス
２２８  ディスプレイ
２３２  ユーザインターフェース
２４０  発光ダイオード（ＬＥＤ）
２６０  プロセッサ
２６２  メモリ
２６４  オペレーティングシステム
２６６  アプリケーションプログラム
２６８  不揮発性記憶装置
２７０  電源
２７２  無線インターフェース層
２７４  オーディオインターフェース
２７６  触覚インターフェース
２７８  機械的要素
３００  時計デバイス
３０２  ベゼル（ｂｅｚｅｌ）
３０４  アナログ及び／又はデジタルディスプレイ
３０６ａ〜３０６ｃ  時計針
３０８ａ〜３０８ｃ  セレクタ
３１０  ディスプレイ
３１２  ポインタ
３１４  アナログ及び／又はデジタルディスプレイ
４００  時計デバイス
４０２  電子システム
４０４  時計バンド
４０６  トランシーバ
４０８  マイクロコンピュータユニット又はマイクロプロセッサ
４１０  アナログ無線
４１２  デジタル信号プロセッサ（ＤＳＰ）
４１４  リアルタイムデバイス（ＲＴＤ）
４２０  ワイヤレスクライアントデバイス
４２２  シェルライブラリ
４２４  ハードウエアライブラリ
４２６  機械的／電気的の層
４２８  ハードウエアアブストラクションレイヤ（ＨＡＬ）
４３０  共通言語ランタイム（ＣＬＲ）層
４３２  ライブラリ層
５００  時計デバイス
５０２  ベゼル
５０４，５０６  アナログディスプレイ
５０８ａ〜５０８ｃ  アナログ型時計針
５０８ａ  短針
５０８ｂ  長針
５１０ａ，５１０ｂ  発光ダイオード（ＬＥＤ）
５１２  時の標識
５１４  セレクタ
５１６，５１８  情報アイコン
６００  時計デバイス
６０２  アナログディスプレイ
６０３  情報アイコン
６０４  階調ディスプレイ
６０６，６０８，６１０  インジケータ
７００  時計デバイス
７０２  第１アナログディスプレイ
７０２ａ  第１の回転可能ディスク
７０２ｂ  第２の回転可能ディスク
７０３  ロゴ
７０４  第２アナログディスプレイ
７０４ａ  第１の回転可能ディスク
７０４ｂ  第２の回転可能ディスク
７０６  第３アナログディスプレイ
７０８  第４アナログディスプレイ
７０８ａ  第１の回転可能ディスク
７０８ｂ  第２の回転可能ディスク
７１０ａ〜７１０ｆ  ＬＥＤ
８００  時計デバイス
９００  時計デバイス
９０２  アナログディスプレイ
９０４  情報アイコン
９０６  回転可能ディスク
１０００  時計デバイス
１００２，１００４，１００６  アナログディスプレイ
１００８，１０１０  情報アイコン
【図１】
2006101505.tif 000003
【図２】
2006101505.tif 000004
【図３Ａ】
2006101505.tif 000005
【図３Ｂ】
2006101505.tif 000006
【図４Ａ】
2006101505.tif 000007
【図４Ｂ】
2006101505.tif 000008
【図５Ａ】
2006101505.tif 000009
【図５Ｂ】
2006101505.tif 000010
【図６】
2006101505.tif 000011
【図７Ａ】
2006101505.tif 000012
【図７Ｂ】
2006101505.tif 000013
【図８】
2006101505.tif 000014
【図９Ａ】
2006101505.tif 000015
【図９Ｂ】
2006101505.tif 000016
【図１０】
2006101505.tif 000017
【図１１】
2006101505.tif 000018
【外国語明細書】
2006101505000001.pdf